(57)【特許請求の範囲】
【請求項１】
調理容器の底面から受熱し、その温度に応じて透磁率が変化する感温部材と、上記感温部材の下面と向かい合って吸着、離脱する磁石と、上記磁石の離脱動作によりガスバーナへのガス流路を閉じるガス閉弁手段と、上記磁石が上記感温部材から離脱した状態から上端に上記感温部材を有するセンサー部を戻しバネに抗して降下させ上記磁石を上記感温部材に吸着させて後、センサー部を上記戻しバネで上昇して調理容器の底面に感温部材を密接させるリセット手段とを備えた加熱調理器の自動消火装置において、
上記リセット手段は、リセットレバーと連動してリセットレバーとは逆方向に動く引き下げ部材で感温部材に磁石が吸着するまでセンサー部を降下させ、感温部材に磁石が吸着した後は上記引き下げ部材による引き下げ力を解除して上記戻しバネでセンサー部全体を上昇させ調理容器の底面に感温部材を密接するようにしたことを特徴とする加熱調理器の自動消火装置。
【請求項２】
上記引き下げ部材は、引き下げ片と該引き下げ片の引き下げストロークを一定に規制するストローク規制片とが上記引き下げ片による引き下げストロークと上記センサー部の降下ストロークの誤差を吸収するバネを介して支持板に共通の枢支ピンで枢設され、上記リセットレバーに穿った山形のガイド長孔に挿通支持された作動ピンが発条による引張力と相まって上記支持板に穿たれたガイド用カムのカム面にガイドされてリセットレバーとともに上下に移動することにより上記ガイド長孔を左右へ移動して上記ストローク規制片に係脱し、リセット時に作動ピンがストローク規制片に係合して引き下げ片をリセットレバーとは逆方向に一定のストロークだけ作動しセンサー部を引き下げ降下させるようにした請求項１記載の加熱調理器の自動消火装置。
【発明の詳細な説明】
【０００１】
【発明の属する技術分野】
この発明は、テーブルこんろ等の加熱調理器の自動消火装置に関し、詳しくは温度により透磁率の変化する感温部材と磁石との吸着、離脱を利用した自動消火装置のリセット装置に関する。
【０００２】
【従来の技術】
テーブルこんろ、炊飯器等の加熱調理器において、たとえば、テーブルこんろにおける、いわゆる、天ぷら火災等を防止する安全手段として、感温センサーが調理物の加熱温度を鍋底面で検出し、予め設定された加熱温度を検出したときバーナへのガス供給を断ってバーナを消火し安全を期す自動消火装置はすでに知られている。
【０００３】
そこで、従来のこの種の自動消火装置において、感温フェライトから離脱した磁石に対しセンサー部を降下させて感温フェライトに磁石を吸着した後センサー部を上昇して鍋底等へ感温フェライトを密接させるリセット手段とすることにより、鍋底等へ必要以上の荷重を与えることなく常時安全、確実な使用ができる自動消火装置はある（たとえば、実開平７−４２９０３号公報参照）。
【０００４】
【発明が解決しようとする課題】
この発明は、上記従来の技術のリセット手段を改良して、簡単な構造のもとにより効果的なリセットが行いうる加熱調理器の自動消火装置の提供を目的としている。
【０００５】
【課題を解決するための手段】
この発明の請求項１の加熱調理器の自動消火装置は、
調理容器の底面から受熱し、その温度に応じて透磁率が変化する感温部材と、上記感温部材の下面と向かい合って吸着、離脱する磁石と、上記磁石の離脱動作によりガスバーナへのガス流路を閉じるガス閉弁手段と、上記磁石が上記感温部材から離脱した状態から上端に上記感温部材を有するセンサー部を戻しバネに抗して降下させ上記磁石を上記感温部材に吸着させて後、センサー部を上記戻しバネで上昇して調理容器の底面に感温部材を密接させるリセット手段とを備えた加熱調理器の自動消火装置において、
上記リセット手段は、リセットレバーと連動してリセットレバーとは逆方向に動く引き下げ部材で感温部材に磁石が吸着するまでセンサー部を降下させ、感温部材に磁石が吸着した後は上記引き下げ部材による引き下げ力を解除して上記戻しバネでセンサー部全体を上昇させ調理容器の底面に感温部材を密接するようにしたことを要旨とする。
【０００６】
また、この発明の請求項２の加熱調理器の自動消火装置は、
上記引き下げ部材は、引き下げ片と該引き下げ片の引き下げストロークを一定に規制するストローク規制片とが上記引き下げ片による引き下げストロークと上記センサー部の降下ストロークの誤差を吸収するバネを介して支持板に共通の枢支ピンで枢設され、上記リセットレバーに穿った山形のガイド長孔に挿通支持された作動ピンが発条による引張力と相まって上記支持板に穿たれたガイド用カムのカム面にガイドされてリセットレバーとともに上下に移動することにより上記ガイド長孔を左右へ移動して上記ストローク規制片に係脱し、リセット時に作動ピンがストローク規制片に係合して引き下げ片をリセットレバーとは逆方向に一定のストロークだけ作動しセンサー部を引き下げ降下させるようにしたことを要旨とする。
【０００７】
上記構成を有するこの発明の請求項１の加熱調理器の自動消火装置は、リセット時にリセットレバーと連動してリセットレバーとは逆方向に動く引き下げ部材でセンサー部を降下させて感温部材に磁石を吸着させ、吸着後はセンサー部の引き下げ力をすみやかに解除するので、感温部材に対する磁石の吸着が確実に行われ、その後、センサー部が上昇して調理容器の底面に感温部材が密着する。この結果、リセット時にセンサー頭部で調理容器を傾けたり、ひっくり返すこともなく、常時安全、確実な使用ができる。
【０００８】
上記構成を有するこの発明の請求項２の加熱調理器の自動消火装置は、リセットレバーの動きに対しガイド用カムのカム面にガイドされて上下動すると同時に山形のガイド長孔に沿って左右へ移動するピンでリセット時に一定のストロークだけ作動することにより、このストローク規制片と誤差吸収バネを介して連動する引き下げ片でセンサー部を引き下げ降下させて感温部材に磁石を吸着させる。吸着後は作動ピンがストローク規制片から外れ、その後、センサー部は戻しバネにより上昇して調理容器の底面に感温部材を密接する。この結果、リセット時に感温部材と磁石の確実な吸着は勿論のこと、調理容器の底面に必要以上の荷重影響を与えることもなく、簡単な構造のもとに調理容器の傾き等の不具合を解消する。
【０００９】
【発明の実施の形態】
以上説明したこの発明の構成、作用を一層明らかにするために、以下この発明の加熱調理器の自動消火装置の好適な実施の形態の一例について図面を参照して説明する。
【００１０】
図１〜図１１に示した実施の形態は、熱電対式電磁安全弁回路に感熱部Ａと逆起電力発生部Ｂとを組み込んで、感熱部Ａと逆起電力発生部Ｂとを連動手段を介して所望のタイミングのもとに各別に分離して動作させるテーブルこんろの自動消火装置において、図１〜図４はテーブルこんろの点火操作と連動してリセットする構造としたものであり、図５〜図８は専用のリセットレバーとした場合である。そして、図９〜図１１は感熱部Ａと逆起電力発生部Ｂとの連動関係を示したものである。
【００１１】
そこで、図１及び図５〜図９において、Ａは感熱部で、感温部材として感温メタル１を用い、この感温メタル１の透磁率の変化により感温メタル１の下面と向い合って設けられた磁石２が吸着、離脱するようになっており、上記感温メタル１は比較的薄い板厚の板状体で形成され、テーブルこんろＥの器体に設けられた取付板３にその基端を固定して起立状に備えた固定ホルダ４に後述する作動ホルダ７を介して上下移動自由に支持された可動ホルダ５の先端にキャップ状に取付け固定され、その上面が調理容器としての、たとえば、鍋６の底面中央部に接離するようになっている。
また、上記可動ホルダ５は上記感温メタル１を上端に有する上部筒体５ａと後述する作動ホルダ７の先端において後述する作動ホルダ７と一体に固定された下部筒体５ｂとで構成され、下部筒体５ｂに対し上部筒体５ａはカシメ等によって一体に連結されている。
【００１２】
上記磁石２は上記作動ホルダ７に上下移動自由に挿通された作動軸８の先端に感温メタル１の下面への吸着、離脱が常時確実に行いうるように首振り変位可能に取付けられている。そして、上記固定ホルダ４と可動ホルダ５との間には、磁石２が感温メタル１に吸着した後、可動ホルダ５と作動ホルダ７等からなるセンサー部Ｆをゆるやかに上昇させて感温メタル１を鍋６の底面に密接させるとともに、鍋底高さの変化をも吸収する戻しバネ９が介在されている。
【００１３】
上記作動ホルダ７は上部ホルダ７ａと下部ホルダ７ｂを連結部材１０で一体に連結して構成され、下部ホルダ７ｂには上記感熱部Ａと後述する逆起電力発生部Ｂとを連動する連結手段Ｃとしての連動用ピン１１が上下動することにより連動用ピン１１を一定角度だけ図示時計方向及び図示反時計方向に回動変位するための斜状のガイド溝１２を有し、かつ、後述する引き下げ部材Ｄの引き下げ片２１が係合する係合凹部１５を備えており、この下部ホルダ７ｂと上記作動軸８との間には磁石２が感温メタル１から離脱する時磁石２を作動軸８とともに下方へ引張り降下させるための引張りバネ１３を介在させている。
上記連動用ピン１１は上記作動軸８に交叉状に挿通固定され、その両端突出部は上記作動ホルダ７の下部ホルダ７ｂに穿たれている上記斜状ガイド溝１２に挿通されている。
【００１４】
上記感熱部Ａのリセット手段は、リセットレバー１７と、該リセットレバー１７と連動してリセットレバー１７とは逆方向に動く上記引き下げ部材Ｄとで構成され、リセットレバー１７はテーブルこんろＥの器体に固定された支持板１８に枢軸１９で揺動可能に枢設されている。
【００１５】
上記引き下げ部材Ｄは、引き下げ片２１と該引き下げ片２１の双股状の先端作動部２１ａの引き下げストロークを一定に規制するためのストローク規制片２２とが上記引き下げ片２１の先端作動部２１ａの引き下げストロークとこの引き下げストロークによる上記センサー部Ｆの降下ストロークとの誤差を吸収するためのトーションバネ２３を介して上記支持板１８の先端支持部１８ａに共通の枢支ピン２４で枢設され、上記引き下げ片２１の先端作動部２１ａを上記感熱部Ａの下部ホルダ７ｂの係合凹部１５に係合させ、一方、ストローク規制片２２の先端作動部２２ａは、上記リセットレバー１７に穿たれた山形のガイド長孔２５に引張りバネ２５ａで下方に引張られて挿通支持された作動ピン２６に該作動ピン２６が上記リセットレバー１７とともに上下動することにより係脱するようになっている。
【００１６】
上記作動ピン２６に対するストローク規制片２２の先端作動部２２ａの係脱は、上記作動ピン２６が上記支持板１８に穿たれたガイド用カム２７の相対向する上昇カム面２７ａと降下カム面２７ｂにガイドされてリセットレバー１７とともに上下に移動することにより上記山形のガイド長孔２５の範囲内において左右へ移動し作動ピン２６がストローク規制片２２の先端作動部２２ａに係脱し、リセット時にはリセットレバー１７の動きに対し作動ピン２６はガイド用カム２７の上昇カム面２７ａに沿って上昇し上限位置に達するまではストローク規制片２２の先端作動部２２ａに係合されてストローク規制片２２を図示時計方向へ回動する。このため、引き下げ片２１もトーションバネ２３を介して図示時計方向に回動しその先端作動部２１ａをリセットレバー１７とは逆方向、すなわち、下方に移動してセンサー部Ｆを一定のストロークだけ引き下げ降下する。
【００１７】
センサー部Ｆを引き下げ片２１の先端作動部２１ａで一定のストロークだけ引き下げ降下させると、所定位置に待機している磁石２が感温メタル１に吸着する。磁石２が感温メタル１に吸着した後、作動ピン２６はストローク規制片２２の先端作動部２２ａから外れ、引張りバネ２５による下方への引張り力と相まって作動ピン２６は山形のガイド長孔２４を図示左方へ移動し、以後ガイド用カム２７の降下カム面２７ｂに沿ってリセットレバー１７とともに降下するようになっている。このとき、作動ピン２６から外れたストローク規制片２２はフリーの状態となり、その後の戻しバネ９によるセンサー部Ｆの上昇に支障がないようになっている。
【００１８】
上記リセット手段のリセット操作としては、テーブルこんろＥの、いわゆる、押し回し式点火装置の点火ツマミ１６の操作で点火装置と連動してリセットするもの（図１〜図４参照）と、点火操作とは無関係にリセット専用ツマミ５１を操作してリセットするもの（図５〜図８参照）とを例示している。
【００１９】
上記点火装置と連動してリセットするものにあっては、点火ツマミ１６と一体の操作軸５２に軸方向には固定で回転方向は自由に嵌めつけられ、かつ、復帰用バネ５３により図示時計方向に付勢されたカム板５４と、操作軸５２と一体に備えられ、上記操作軸５２の点火操作時における一定ストロークｌの進退動作により上記カム板５４に係脱する作動板５５とを備え、上記カム板５４は上記支持板１８と点滅機能部Ｇとともに一体に備えられた保持板５６に基端が支軸５７により枢支され、先端部は上記リセットレバー１７の基端部１７ａの上面に当接係合された作動レバー５８とからなる構造となっている。
なお、図中、５９は上記カム板５４のリセット前の位置決め用ストッパーで、上記保持板５６に設けられている。６０は圧電器Ｊのハンマー６１をハンマー戻しバネ６２に抗して押し下げるハンマー押し下げ板で操作軸５２に回転方向にのみ固定して遊着されていて上記作動板５５との間に装着された押し下げ板戻しバネ６３にて図示左方に押圧されている。また、６４は操作軸５２の元位置への後退動作を助長するためのバネである。そして、６５は圧電素子である。
【００２０】
上記構成において、感温メタル１から磁石２が離脱した感熱部Ａの作動時のみ（図１の状態参照）次回点火時に点火操作と連動して感熱部Ａをリセットするものである。そこで、テーブルこんろＥの点火にともない点火ツマミ１６を一定ストロークｌだけ押すと、操作軸５２と一体の作動板５５も移動してカム板５４に係合する。このとき、操作軸５２の移動により点滅機能部Ｇ内のマグネット電磁弁、パイロット弁が開かれる。そこで、点火ツマミ１６を押したまま「開」の位置（図示左方へ９０度）まで回すと、カム板５４も復帰用バネ５３に抗して９０度回転しそのカム面（凸面）で作動レバー５８を基端の支軸５７を支点として図示反時計方向に回動しその先端側を押し下げるため（図４参照）、作動レバー５８の先端側でリセットレバー１７の基端側を押し下げる。
【００２１】
したがって、リセットレバー１７は枢軸１９を支点として図示反時計方向に回動しその先端部を上昇させ、リセットレバー１７の山形ガイド長孔２４に挿通支持されている作動ピン２６はガイド用カム２７の上昇カム面２７ａに沿って上昇するため、作動ピン２６が引き下げ部材Ｄのストローク規制片２２の先端作動部２２ａに係合されて先端作動部２２ａを持上げストローク規制片２２を図示時計方向へ回動しトーションバネ２３を介して引き下げ片２１の先端作動部２１ａを図示時計方向に回動して上端に感温メタル１を有する可動ホルダ５と作動ホルダ７等とからなるセンサー部Ｆを戻しバネ９に抗して一定のストロークだけ引き下げ降下させ磁石２を感温メタル１に吸着する。
【００２２】
このとき、作動ピン２６はガイド用カム２７の上昇カム面２７ａに沿って上昇し当初（下限位置にあるとき）は山形ガイド長孔２４の図示右端にあって（図１及び図５参照）ストローク規制片２２の先端作動部２２ａに係合される位置にあるが、作動ピン２６が先端作動部２２ａに係合されて上昇カム面２７ａに沿って上昇するにつれて作動ピン２６は上昇カム面２７ａで次第に山形ガイド長孔２４を図示左方へ移動されストローク規制片２２が上限位置に達すると（図６参照）、作動ピン２６はストローク規制片２２の先端作動部２２ａから外れ山形ガイド長孔２４の図示左端に至り（図７参照）ストローク規制片２２の先端作動部２２ａから離れ、以後はガイド用カム２７の降下カム面２７ｂに沿ってストローク規制片２２とは無関係にリセットレバー１７とともに降下可能状態となる。
【００２３】
一方、点滅機能部Ｇの閉子が開の状態となってパイロットバーナ、メインバーナにガスが供給され、同時に圧電器Ｊが作動しパイロットバーナに点火し、メインバーナに火移りし、また、同時にマイクロスイッチが入り電子回路に通電する。その後、点火ツマミ１６を離すと点火ツマミ１６は元の位置に後退して戻るため、作動板５５はカム板５４から外れその係合が解かれる。したがって、カム板５４は復帰用バネ５３により図示時計方向に回動して元の位置（図４の実線の位置）へ戻る。一方、操作ツマミ１６が戻るとパイロット弁は閉じるが、メインバーナ部の熱電対が炎を感知し、電子回路を通して乾電池等の電源からマグネットに通電され、マグネット電磁弁は燃焼状態を保持する。
【００２４】
上記ストローク規制片２２の先端作動部２２ａから作動ピン２６が外れると、センサー部Ｆの引き下げ力は解除されるため、戻しバネ９のバネ力でセンサー部全体（磁石２を含む）を上昇させ磁石２が吸着している感温メタル１を鍋６の底面部に密接しリセット動作を完了する。上記戻しバネ９のバネ力は、引き下げ片２１によるセンサー部Ｆの引き下げ降下が無理なく容易にでき、センサー部全体を上昇させるときはセンサー部全体がゆるやかに上昇して鍋６の底面部に必要以上の荷重を与えることなく密接できるバネ力となっている。
【００２５】
上記感温メタル１から磁石２が離脱する感熱部Ａの作動時は、感温メタル１が調理物の加熱温度を鍋底面で検出し、予め設定された加熱温度（たとえば、２５０℃程度）を検出したとき磁石２は吸着力を失って引張りバネ１３により作動軸８とともに一定のストローク降下して感温メタル１から離間し、後述する逆起電力発生部Ｂの作用と相まってバーナへのガス供給を断ってバーナを直ちに消火するものである。
【００２６】
次に、上記逆起電力発生部Ｂは、図９〜図１１に示されているように、器体２８の一側寄りにガイド孔２９を穿ち、このガイド孔２９に逆起電力発生用の磁石３０を下部に内蔵し、後述する連結手段Ｃ側には係止凸片３１を突出して備えた有底のスライド筒３２を上下移動自由に嵌着し、このスライド筒３２の上部開口は上記器体の取付板３に一体形成された蓋体３３で覆われ、この蓋体３３とスライド筒３２との間に磁石押下げ用のバネ３４を介在してスライド筒３２を常時下方へ付勢し、上記ガイド孔２９の下部には逆起電力発生用のコイル３５を上記スライド筒３２と同一軸心に備えて上記逆起電力発生用磁石３０が逆起電力発生用コイル３５内に上記押し下げ用バネ３４のバネ力により勢いよく進入することにより逆起電力発生用のコイル３５に磁界の変化を与え大きな逆起電力を発生させるように構成されており、この逆起電力発生部Ｂは上記感熱部Ａの一側に近接して並置されている（図９参照）。なお、上記逆起電力発生用の磁石３０は鉄部材３６間に介在され、逆起電力発生用のコイル３５の外周は磁界を広く保持するための鉄カバー３７で覆っている。
【００２７】
また、上記感熱部Ａと逆起電力発生部Ｂとを連動させる連動手段Ｃは、逆起電力発生部Ｂの器体２８の他側寄りに支軸３８を支点として前後方向へ一定の角度だけ回動する連動部材３９を備え、この連動部材３９は復帰用バネ４０により係止方向（図示反時計方向）に付勢されており、その先端側に上記スライド筒３２の斜状ガイド面３１ａを有する係止凸片３１が係脱する係止部４１を備え、基端側には上記連動用ピン１１が接するガイド凸条４２を備えており、上記感熱部Ａの作動軸８の上下動により斜状ガイド溝１２に沿って上下動する連動用ピン１１で連動部材３９を前後方向へ一定の角度だけ回動して係止凸片３１と係止部４１との係脱が行いうる構造となっている。なお、連動部材３９の先端係止部４１に回転ロール４３を設けると、係止凸片３１との係脱が軽快、確実に行えて実施上有益である。
【００２８】
上記スライド筒３２の上部両側には上記リセットレバー１７を延設して形成された双股状の係合片４４が係合する係合突起４５を上下に備え、この係合突起４５間に係合片４４が挿入されてリセットレバーの先端がスライド筒３２とともに上下動する。この係合突起４５は上記係止凸片３１とは交叉する方向に突出して備え、この係合突起４５をガイド孔２９の両側に設けられたスリット状ガイド溝４６に挿通して外部に突出させ、この突出部にリセットレバー１７と一体の双股状の係合片４４を係合させて、リセットレバー１７で上記スライド筒３２を上記感熱部Ａのセンサー部Ｆの降下動作と連動して所定のタイミングのもとに磁石押し下げ用バネ３４に抗して持上げ連動部材３９の係止部４１にスライド筒３２の係止凸片３１を斜状ガイド面３１ａを介して係止し上限位置にセットするようになしている。なお、図中、４７、４８は逆起電力発生用のコイル３５と、熱電対ＴＣと電磁安全弁（図示せず）の電磁コイルとを接続するためのリード線である。上記電磁安全弁の電磁コイルへの通電回路はガスバーナ４９によって加熱され起電力を発生する熱電対ＴＣと、逆起電力発生用のコイル３５との直列接続により構成される。
また、消火時は点火ツマミ１６を「止」の位置（図示右方へ９０度）まで回すと、点滅機能部Ｇの閉子によってガス通路が閉じられ、また、マイクロスイッチも０ＦＦとなって電子回路への通電がストップしマグネット電磁弁も閉じられる。
【００２９】
次に、リセット専用ツマミ５１を操作してリセットするものにあっては、リセット専用ツマミ５１を押し下げると、リセット専用ツマミ５１と一体の押動片２０でリセットレバー１７の基端部を押し下げ、前述した点火連動の場合と同一の理により感温部Ａと逆起電力発生部Ｂとを所望のタイミングのもとに各別に分離して作動させるためのリセットが行いうるもので（図５〜図８参照）、このリセット操作手段以外は先の点火連動のものと同一につき詳細な説明は省略する。
【００３０】
以上説明した感熱部Ａと逆起電力発生部Ｂとを連動手段Ｃを介して所望のタイミングのもとに各別に分離して動作させるテーブルこんろＥの自動消火装置において、テーブルこんろの五徳５０上に鍋６を載せた鍋有りの場合の正常使用時は図１及び図５の作動後リセットする前の状態からリセットされた図７に示されているように、感熱部Ａの感温メタル１は鍋６の底面部に密接して受熱し、一方、逆起電力発生部Ｂの磁石３０はスライド筒３２の係止凸片３１が連動部材３９の係止部４１に係止されて上限位置に保持されている（図９及び図１０参照）。
【００３１】
そこで、感温部Ａの感温メタル１が予め設定された加熱温度（たとえば、２５０℃程度）を検出すると、感温メタル１がキューリ点に達し常磁性体となるため、磁石２は吸着力を失って引張りバネ１３により作動軸８とともに一定のストロークだけ降下し感温メタル１から離脱する（図７から図５の状態参照）。上記作動軸８の降下にともない作動軸８と一体の連動用ピン１１も下部ホルダ７ｂの斜状ガイド溝１２に沿って降下し図示反時計方向へ回動するため、この連動用ピン１１で連動部材３９を支軸３８を支点として図示時計方向へガイド凸条４２を介して一定の角度だけ復帰用バネ４０に抗して回動変位するためにその先端係止部４１からスライド筒３２の係止凸片３１を外す。したがって、逆起電力発生部Ｂの磁石３０はスライド筒３２とともに磁石押し下げ用のバネ３４のバネ力で急降下し下端部の逆起電力発生用コイル３５内へ勢いよく進入し逆起電力発生用コイル３５に磁界の変化を与え熱電対起電力に対して大きな逆起電力を発生する（図１０の状態から図１１の状態参照）。この結果、この逆電流により熱電対ＴＣから電磁安全弁への通電電流をすみやかに減少させ電磁安全弁ＭＶを即座に閉弁しガスバーナ４８へのガスの供給を遮断する。上記閉弁動作においては感熱部Ａの磁石２の動きと逆起電力発生部Ｂの磁石３０の動きとは連動手段Ｃを介して所望タイミングのもとに連動して行われ、リセットレバー１７はスライド筒３２の係合突起４５により図示時計方向へ係合片４４を介して回動し元位置（消火位置）へ戻る（図１及び図５参照）。
【００３２】
バーナ消火後、鍋６の底面温度が低下し感温メタル１の透磁率が変化して磁石２が感温メタル１に吸着可能な状態になり再度使用するときは、先に説明したように点火ツマミ１６を押し回して点火操作するが、リセット専用ツマミ５１を押し下げて感熱部Ａの感温メタル１と磁石２との吸着及び感温メタル１の鍋６の底面部への密接と、逆起電力発生部Ｂの磁石３０の持上げセットとが行われ、次の自動消火作動が行える体勢を維持するものである（図５〜図７及び図９〜図１１参照）。
【００３３】
次に、図８に示した鍋無しの場合における感熱部Ａと逆起電力発生部Ｂのリセット動作及びガス閉弁動作も先に説明した鍋有りの場合と同様の理により確実に行いうるもので、五徳５０上に鍋６を載せることなくガスバーナ４９が燃焼を続けた場合、いわゆる空焚き状態にあるときは感温メタル１がこれを感知して前述した理によりガス弁を自動閉止し安全を期するものである。
【００３４】
以上この発明の実施の形態の一例について説明したが、この発明はこうした実施の形態に何等限定されるものではなく、この発明の要旨を逸脱しない範囲において種々なる形態で実施しうることは勿論である。たとえば、この実施の形態ではテーブルこんろに適用したが、炊飯器等にも同様に適用できる。
【００３５】
【発明の効果】
以上説明したこの発明の請求項１の加熱調理器の自動消火装置によれば、リセット時における温度により透磁率の変化する感温部材と磁石との吸着がリセットレバーとは逆方向に動く引き下げ部材でセンサー部を引き下げて行われ、感温部材に磁石が吸着した後はその引き下げ力を直ちに解除し、その後、センサー部全体がバネ力で上昇して感温部材が調理容器の底面に密接するようにしたから、感温部材に対する磁石の吸着が調理容器に荷重影響を与えることなく確実に行われる。したがって、感熱部のリセット時にセンサー頭部で調理容器を傾けたり、ひっくり返すなどの不具合が解消でき、常時安全、確実な使用ができる。
【００３６】
また、この発明の請求項２の加熱調理器の自動消火装置によれば、リセットレバーとは逆方向に動く引き下げ部材が、ガイド用カムにガイドされて上下動すると同時に山形のガイド長孔に沿って左右へ移動する作動ピンにより作動されるストローク規制片と、該ストローク規制片と誤差吸収バネを介して連動する引き下げ片とで構成されているから、センサー部の引き下げによる感温部材と磁石の吸着と吸着後の引き下げ力の解除とが誤動作なく常に正確に行いうる。したがって、上記請求項１の奏する効果が簡単な構造のもとに実現できる。
【図面の簡単な説明】
【図１】この発明の加熱調理器の自動消火装置をテーブルこんろに適用して点火連動とした鍋有り時における作動後リセット前の状態を示す全体の断面図である。
【図２】その要部だけの平面図である。
【図３】図２におけるＹ−Ｙ線からの切断側面図である。
【図４】カム板部分だけの正面図である。
【図５】リセット専用ツマミでリセットする場合の鍋有り時における作動後リセットする前の状態を示した全体の断面図である。
【図６】同リセット途中の状態を示す全体の断面図である。
【図７】同リセット完了状態を示す全体の断面図である。
【図８】鍋無し時における作動後リセットする前の状態を示す全体の断面図である。
【図９】感熱部と逆起電力発生部との部分だけを示した一部切断正面図である。
【図１０】図９のＸ−Ｘ線におけるセット時の断面図である。
【図１１】同作動時の断面図である。
【符号の説明】
Ａ  感熱部
Ｂ  逆起電力発生部
Ｃ  連動手段
Ｄ  引き下げ部材
Ｆ  センサー部
１  感温メタル
２  磁石
９  戻しバネ
１７  リセットレバー
２１  引き下げ片
２２  ストローク規制片
２３  誤差吸収バネ
２４  枢支ピン
２５  ガイド長孔
２６  作動ピン
２５ａ  発条
２７  ガイド用カム
２７ａ，２７ｂ  カム面
【図１】
0003871795.tif 000002
【図２】
0003871795.tif 000003
【図３】
0003871795.tif 000004
【図４】
0003871795.tif 000005
【図５】
0003871795.tif 000006
【図６】
0003871795.tif 000007
【図７】
0003871795.tif 000008
【図８】
0003871795.tif 000009
【図９】
0003871795.tif 000010
【図１０】
0003871795.tif 000011
【図１１】
0003871795.tif 000012